Podtech/llm-jp-corpus-v4-ja_patent huggingface dataset:
【誤訳訂正書】
【提出日】平成24年10月1日(2012.10.1)
【誤訳訂正１】
【訂正対象書類名】特許請求の範囲
【訂正対象項目名】全文
【訂正方法】変更
【訂正の内容】
【特許請求の範囲】
【請求項１】
複数のデバイスを各々含む複数の建造物制御サブシステムを有する建造物制御システムにおけるイベント管理方法であって、前記建造物制御システムは、ローカル・エリア・コントローラとして動作するゾーン・コントローラを備えており、前記方法は、前記ゾーン・コントローラが、
前記サブシステムからデータを収集することと、
前記収集したデータを格納することと、
建造物における挙動のパターンを判定するため、および関係するイベントのシーケンスに基づいて、カスタム化した報告を作成するために、前記格納したデータを分析することと、
前記建造物制御システムからのソフトウェア・オブジェクトを部分集合にグループ化することであって、該クループ化は、所定の判断基準または論理的に検査したオカレンスの集合によってトリガされる、ことと、
インデックス化した部分集合を形成するために、関連性、関係、または因果関係のうち少なくとも１つに基づいて前記部分集合をインデックス化することと、
グループ化オブジェクト・シーケンスを形成するために、前記インデックス化した部分集合に名称、ラベル、識別番号、アドレス、またはその均等物を割り当てることと、
前記グループ化オブジェクト・シーケンスを格納することと
を備え、前記建造物制御システムは、複数のポイント・オブジェクトを備えており、前記ソフトウェア・オブジェクトのグループ化は、各ポイント・オブジェクトをエリア・オブジェクト、システム・オブジェクト、コントローラ・オブジェクト、およびサブシステム・オブジェクトと関連付けることを含み、前記ポイント・オブジェクトは、１つよりも多いエリア・オブジェクト、１つよりも多いシステム・オブジェクト、１つよりも多いコントローラ・オブジェクト、および１つよりも多いサブシステム・オブジェクトとの論理的関連付けを受けることができる、イベント管理方法。
【請求項２】
請求項１記載の方法であって、更に、共通通信ネットワークを通じて、前記ゾーン・コントローラに接続されたネットワーク管理システムを用いて、複数のゾーン・コントローラを監視することを備えた、方法。
【請求項３】
請求項１に記載の方法であって、更に、パワー・オーバー・イーサネット（ＰＯＥ）接続部を介して、前記ゾーン・コントローラに電力を供給することを備えた、方法。
【請求項４】
請求項１に記載の方法において、前記データを収集することは、前記サブシステム内にあるデバイスから異なるプロトコルによって送られるソフトウェア・オブジェクトを読み込むことを含む、方法。
【請求項５】
請求項１記載の方法であって、更に、前記所定の判断基準または前記論理的に検査したオカレンスの集合に応答して制御アクション・シーケンスを実行することを備えており、前記制御アクション・シーケンスが、制御アクションの所定のシーケンスを備え、該制御アクションの各々が、前記デバイスの１つのものの状態に作用する、方法。
【請求項６】
請求項１に記載の方法において、前記建造物制御システムは、建造物における異なるドアと関連した進入制御デバイスを有する進入制御サブシステムと、非進入制御デバイスを有する非進入制御サブシステムとを備えており、前記方法は、
第１ドアと関連した進入制御デバイスの状態に対し、第２ドアと関連した進入制御デバイスの状態が変化したときに、作用することと、
前記第２ドアと関連した前記進入制御デバイスの状態が変化したときに、前記第１または第２のドアの少なくとも一方に隣接する少なくとも１つの物理的エリアと関連付けられた非進入制御デバイスの状態に作用することと、
前記第１または第２のドアの少なくとも１つのと関連した前記進入制御デバイスの状態が変化したときに、複数の物理的エリアと関連付けられた非進入制御デバイスの状態に作用することと、
のうち少なくとも１つを備えた、方法。
【請求項７】
請求項１に記載の方法において、前記データを収集することは、前記ゾーン・コントローラのＩ／Ｏモジュールと結合されたセンサおよびアクチュエータから信号を受けることを含み、前記方法は、更に、前記信号に応答して建造物環境パラメータを制御することを備えており、前記建造物環境パラメータは、温度、湿度、光レベル、空気の質、エネルギ使用率、煙レベル、または物理的進入のうち少なくとも１つを含む、方法。
【請求項８】
請求項１に記載の方法であって、更に、前記建造物制御システムとユーザとの間の相互作用を可能にするために、ウェブに基づくツールを設けることを備えた、方法。
【誤訳訂正２】
【訂正対象書類名】明細書
【訂正対象項目名】００５６
【訂正方法】変更
【訂正の内容】
【００５６】
マイクロプロセッサ３０１０は、イーサネット・ポート３０２５、シリアル・ポート３０３０、ＵＳＢポート３０３５、ＧＰＩＯポート３０４０、およびサブネット・ポート３０４５を通過して流れる種々の双方向情報にどのようにサービスするかを定義する命令を収容するアプリケーション・プログラムを実行する。これらのポートは、外部イーサネット・ネットワークとインターフェースするために、プロセッサ・モジュール１３００の正常動作を容易にする。これは、追加のコントローラ、アクチュエータ、センサ、ディスプレイ、およびこれらのエレメントの組み合わせを有するデバイスというような機器が接続されたイーサネット・ネットワークを含む。前述のように、ポートは、シリアル３０３０、ＵＳＢ３０３５、およびゾーン・コントローラ・サブネットワーク３０４５というような他のネットワークにも接続する。一方、種々のゾーン・コントローラのアドオン・モジュール(add-onmodule)は、センサ、アクチュエータ、ディスプレイ、または組み合わせデバイスに有線接続することができる。これらのポートは、種々のプロトコルまたは信号によって、情報の伝達を可能とし、温度、湿度、照明レベル、空気の質、エネルギ使用率、煙レベル、または物理的進入のような、建造物環境パラメータの測定および制御に作用する。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
対象領域を時間経過に伴い断続的に撮影した各一連の断層像を用いて、各時相の３次元画像をそれぞれ生成し、動画表示する画像処理装置であって、
前記対象領域のうち、時相間で変化が大きい変化領域を決定する領域決定手段と、
前記変化領域については忠実に３次元画像を生成し、その他の領域については簡略に３次元画像を生成する生成手段と、
前記一連の断層像を取得した際の心拍データまたは呼吸データを取得する取得手段と、
前記取得手段によって取得したデータに基づき心拍または呼吸の周期を解析し、周期的に対応する時相を特定する周期特定手段と、
前記生成手段によって生成された３次元画像を時系列に順次表示する表示手段と、
を備え、
前記生成手段は、
ある周期について、前記変化領域については忠実に、その他の領域については簡略に基準３次元画像を生成する基準画像生成手段と、
その他の周期について、周期的に対応する時相の対応する断層像を比較し、差分のある領域の３次元画像を生成する差分領域画像生成手段と、
前記差分領域画像生成手段によって生成された差分のある領域の３次元画像をその時相に対応する時相の、既に生成済みの基準３次元画像と合成する第１の合成手段と、を備え、
前記表示手段は、
前記ある周期の各時相の３次元画像と、前記第１の合成手段によって生成された各時相の合成画像とを、時系列に順次表示することを特徴とする画像処理装置。
【請求項２】
前記生成手段は、
ある時相の一連の断層像を用いて前記対象領域全体についての３次元画像を生成する全領域画像生成手段と、
各時相の一連の断層像を用いて前記変化領域についての３次元画像をそれぞれ生成する変化領域画像生成手段と、
前記全領域画像生成手段によって生成された３次元画像と、前記変化領域画像生成手段によって生成された各時相での前記変化領域についての３次元画像とを合成し、各時相の３次元合成画像を生成する第２の合成手段と、を備え、
前記表示手段は、
前記第２の合成手段によって生成された各時相の３次元合成画像を時系列に順次表示することを特徴とする請求項１に記載の画像処理装置。
【請求項３】
前記生成手段は、
各時相の一連の断層像を用いて、前記変化領域については高画素密度で３次元画像を生成し、その他の領域については低画素密度で３次元画像を生成する高／低密度画像生成手段を備え、
前記表示手段は、
前記高／低密度画像生成手段によって生成された各時相の高／低密度３次元画像を時系列に順次表示することを特徴とする請求項１に記載の画像処理装置。
【請求項４】
前記領域決定手段は、前後する時相の対応する断層像の各画素値を比較し、画素値の差の大きさが所定値より大きい領域を前記変化領域とすることを特徴とする請求項１から３のいずれかに記載の画像処理装置。
【請求項５】
前記領域決定手段は、全時相の対応する断層像の各画素について最大画素値と最小画素値とを比較し、最大画素値と最小画素値との差の大きさが所定値より大きい領域を前記変化領域とすることを特徴とする請求項１から３のいずれかに記載の画像処理装置。
【請求項６】
前記全領域画像生成手段は、
最初時相の一連の断層像を用いて、前記対象領域全体についての３次元画像を生成した後に、その他の時相の一連の断層像を用いて、前記対象領域全体についての３次元画像をそれぞれ生成し、
前記表示手段は、
はじめに、前記全領域画像生成手段によって生成された前記最初時相の対象領域全体についての３次元画像と、前記第２の合成手段によって合成された３次元合成画像を時系列に順次表示し、
次に、前記全領域画像生成手段によって生成された各時相の対象領域全体についての３次元画像を時系列に順次表示することを特徴とする請求項２に記載の画像処理装置。
【請求項７】
前記生成手段は、更に、
全時相の一連の断層像を用いて、全時相についてそれぞれ前記対象領域全体の３次元画像を高画素密度で生成する高密度３次元画像生成手段を備え、
前記表示手段は、
はじめに、前記高／低密度３次元画像生成手段によって生成された高／低密度３次元画像を時系列に順次表示し、
次に、前記高密度３次元画像生成手段によって生成された高密度３次元画像を時系列に順次表示することを特徴とする請求項３に記載の画像処理装置。
【請求項８】
前記生成手段は、
前記変化領域についての３次元画像を高フレームレートで生成し、その他の領域についての３次元画像を低フレームレートで生成することを特徴とする請求項１に記載の画像処理装置。
【手続補正２】
【補正対象書類名】明細書
【補正対象項目名】０００６
【補正方法】変更
【補正の内容】
【０００６】
前述した目的を達成するために、本発明は、対象領域を時間経過に伴い断続的に撮影した各一連の断層像を用いて、各時相の３次元画像をそれぞれ生成し、動画表示する画像処理装置であって、前記対象領域のうち、時相間で変化が大きい変化領域を決定する領域決定手段と、前記変化領域については忠実に３次元画像を生成し、その他の領域については簡略に３次元画像を生成する生成手段と、前記一連の断層像を取得した際の心拍データまたは呼吸データを取得する取得手段と、前記取得手段によって取得したデータに基づき心拍または呼吸の周期を解析し、周期的に対応する時相を特定する周期特定手段と、前記生成手段によって生成された３次元画像を時系列に順次表示する表示手段と、を備え、前記生成手段は、ある周期について、前記変化領域については忠実に、その他の領域については簡略に基準３次元画像を生成する基準画像生成手段と、その他の周期について、周期的に対応する時相の対応する断層像を比較し、差分のある領域の３次元画像を生成する差分領域画像生成手段と、前記差分領域画像生成手段によって生成された差分のある領域の３次元画像をその時相に対応する時相の、既に生成済みの基準３次元画像と合成する第１の合成手段と、を備え、前記表示手段は、前記ある周期の各時相の３次元画像と、前記第１の合成手段によって生成された各時相の合成画像とを、時系列に順次表示することを特徴とする画像処理装置である。
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
被検眼の瞳上でリング状に照明する照明光を投影する照明光学系と、前記照明光の眼底からの眼底像を対物レンズを介して撮像面に結像する撮像光学系と、前記対物レンズを介して被検眼の角膜に作動距離指標を投影する指標投影手段と、前記眼底からの反射像及び角膜からの前記作動距離指標の反射像を撮像する撮像手段とを有する眼底カメラにおいて、前記作動距離指標を前記撮像光学系の光軸方向に移動する駆動手段と、該駆動手段による前記指標投影手段の発光面の移動に応じて角膜に投影された指標形状を認識する指標形状認識手段と、前記駆動手段の駆動情報と前記指標形状認識手段の出力に基づいて、前記照明光学系と前記撮像光学系の被検眼に対する適正作動距離を検出する検出手段とを有することを特徴とする眼底カメラ。
【請求項２】
前記駆動手段による前記発光面の移動は微小往復移動とすることを特徴とする請求項１に記載の眼底カメラ。
【請求項３】
前記照明光学系と前記撮像光学系を内蔵した光学部を作動距離方向に駆動する光学部駆動手段と、前記検出手段の検出結果に基づいて前記光学部駆動手段の駆動により前記光学部を適正作動距離に制御する制御手段とを有することを特徴とする請求項１に記載の眼底カメラ。
【請求項４】
前記指標投影手段による前記作動距離指標の角膜反射像の上下左右の位置ずれを認識する位置検出手段により三次元の位置検出を行い、前記位置検出手段の結果に基づいて前記光学部駆動手段を駆動することを特徴とする請求項３に記載の眼底カメラ。
【請求項５】
被検眼の角膜に指標を投影する指標投影部と、
対物レンズを介して撮像面に結像し、前記角膜に投影された前記指標を撮像する撮像部と、
前記撮像された指標の大きさが所定の大きさになるように前記被検眼と前記対物レンズとの距離を制御する制御部と、
を有することを特徴とする眼科装置。
【請求項６】
前記指標投影部の発光面を移動して指標の大きさを変更する駆動部を更に備え、
前記駆動部による前記発光面の移動は往復移動することを特徴とする請求項５に記載の眼科装置。
【請求項７】
前記撮像された指標の大きさと前記指標投影部の発光面から被検眼までとの関係から前記制御部は制御することを特徴とする請求項５又は６に記載の眼底装置。
【請求項８】
被検眼瞳上でリング状に照明する照明光を投影する照明光学系と，
前記照明光の眼底反射光束を、対物レンズを介して前記撮像面に結像し、眼底像を撮像する撮像光学系と，を更に備えことを特徴とする請求項５乃至７のいずれか一項に記載の眼底装置。
【請求項９】
前記照明光学系は、照明光を反射する穴あきミラーを更に備え、
前記前記指標投影部は前記穴あきミラーの穴部に配置されることを特徴とする請求項８に記載の眼底装置。
【請求項１０】
前記制御部は、
前記発光面からの前記被検眼までの距離が異なる少なくとも三箇所の位置で撮像された前記指標形状の大きさに基づいて前記被検眼に対する作動距離を得ることを特徴とする請求項５乃至９のいずれか一項に記載の眼底装置。
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
模擬的な射撃操作をすることが可能なガンコントローラを備え、当該ガンコントローラからの第１のゲーム空間に対応する前記射撃操作に応じて第１のゲームが前記第１のゲーム空間において進行する複数のプレイヤステーションと、
第２のゲーム空間を提供可能なゲーム演出装置と、
前記ゲーム演出装置を空間的に移動させることが可能な移動機構と、
いずれかの前記プレイヤステーションにおいて前記第１のゲームの進行中に第２のゲームに関する所定の条件が満たされると、当該プレイヤステーションの前記第１のゲーム空間に前記ゲーム演出装置が提供する第２のゲーム空間を対応付けるよう前記移動機構を制御する制御手段と、
を備え、
前記制御手段は、
前記射撃操作が行われた時の前記ガンコントローラの向きに応じた角度情報に基づいて、前記射撃操作によって前記ガンコントローラから仮想的に発射された弾丸が前記第２のゲーム空間に位置する標的に命中したか否かを判定する、
ゲーム装置。
【請求項２】
前記判定は、前記角度情報が前記標的に対応付けられた所定の角度範囲情報に含まれる場合に、前記射撃操作によって前記弾丸が前記標的に命中したと判定する処理を含む、請求項１記載のゲーム装置。
【請求項３】
前記第１のゲーム空間は、前記プレイヤステーションに設けられた第１のディスプレイに表示されるゲーム画面であり、
前記第２のゲーム空間は、前記ゲーム演出装置としての第２のディスプレイに表示されるゲーム画面であり、
前記標的は、前記ゲーム画面に表示される標的キャラクタである、請求項１又は２に記載のゲーム装置。
【請求項４】
前記制御手段は、
前記第２のゲームにおいて、前記標的キャラクタが前記第１のディスプレイのゲーム画面から前記第２のディスプレイのゲーム画面に移動する表示制御を行なう、請求項３記載のゲーム装置。
【請求項５】
前記ゲーム演出装置は、複数の回転体を備えたスロット装置であり、
前記第２のゲーム空間は、前記スロット装置を用いたスロットゲーム空間であり、
前記標的は、前記スロット装置における前記回転体のいずれかである、請求項１又は２に記載のゲーム装置。
【請求項６】
前記回転体は、鉛直方向に固定の中心軸を有し、かつ、当該中心軸を軸心として回転するとともに、前記中心軸に沿ってスライド可能であり、
前記制御手段は、前記判定において前記弾丸が前記標的である前記回転体のいずれかに命中したと判定すると、前記回転体の回転を停止するよう制御するとともに、前記回転体を前記中心軸に沿う鉛直上方にスライドさせる、請求項５記載のゲーム装置。
【請求項７】
ゲーム操作台と、
前記ゲーム操作台に所定の角度範囲で回動可能に設けられるゲーム操作手段と、
第１のゲーム空間を提供可能な第１のゲーム演出装置と、
第２のゲーム空間を提供可能な第２のゲーム演出装置と、
前記ゲーム操作手段の回動に応じた角度情報に基づいて、当該ゲーム操作手段からの前記第１のゲーム空間又は前記第２のゲーム空間に対応するゲーム操作入力を許容し、当該ゲーム操作入力に応じてゲームの進行を制御する制御手段と、
を備えるゲーム装置。
【手続補正２】
【補正対象書類名】明細書
【補正対象項目名】発明の名称
【補正方法】変更
【補正の内容】
【発明の名称】ゲーム装置
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
少なくとも２つ以上のインプラント手術用のガイドスリーブを有するインプラント手術用ガイドを顎骨に対して位置決めするために用いられる術前ガイド固定ピンであって、
該ガイドスリーブの長軸長さよりも軸方向に長く且つガイドスリーブの内径と略同一の外径を有するガイド固定部と、
前記ガイド固定部の下端において同軸上に一体連結し、前記ガイド固定部の外径よりも小さい径を有する顎骨固定部とを備え、
前記ガイド固定部は、術前ガイド固定ピンを前記ガイドスリーブに挿入した際にガイドスリーブに対して術前ガイド固定ピンの径方向の移動を規制し、
前記顎骨固定部は、前記術前ガイド固定ピンを前記ガイドスリーブに挿入した際に前記ガイドスリーブの下方に設けられた術前ガイド固定ピン用の孔に挿入され、
前記顎骨固定部は、軸線方向一部にネジ溝を形成する、ことを特徴とする術前ガイド固定ピン。
【請求項２】
請求項１に記載の術前ガイド固定ピン１つと、少なくとも１つ以上の術中ガイド固定ピントとで構成されたガイド固定ピンセットであって、
前記術前ガイド固定ピンのガイド固定部と、前記術中ガイド固定ピンのガイド固定部とは、互いに外径が略同一であり、
前記術中ガイド固定ピンは、
少なくとも２つ以上のインプラント手術用のガイドスリーブを有するインプラント手術用ガイドを顎骨に対して位置決めするために用いられ、
さらに、該ガイドスリーブの長軸長さよりも軸方向に長く且つガイドスリーブの内径と略同一の外径を有するガイド固定部と、
前記ガイド固定部の下端において同軸上に一体連結し、前記ガイド固定部の外径よりも小さい径を有する顎骨固定部とを備え、
前記ガイド固定部は、術中ガイド固定ピンを前記ガイドスリーブに挿入した際にガイドスリーブに対して術中の径方向の移動を規制し、
前記顎骨固定部は、前記術中ガイド固定ピンを前記ガイドスリーブに挿入した際に前記ガイドスリーブの下方に設けられたインプラント形成窩作成のために予め開放されたドリル形成窩に挿入される、
ことを特徴とするガイド固定ピンセット。
【手続補正書】
【提出日】平成24年6月15日(2012.6.15)
【手続補正１】
【補正対象書類名】特許請求の範囲
【補正対象項目名】請求項１
【補正方法】変更
【補正の内容】
【請求項１】
溶接ワイヤと溶接母材との間にアークを発生させて溶接を行うアーク溶接の開始方法であって、
溶接動作の開始時に上記溶接ワイヤと上記溶接母材との間の通電状態が検出されないとき、上記溶接母材に対して上記溶接ワイヤを進退移動させることにより、上記溶接母材に対して上記溶接ワイヤを接触させることを特徴とするアーク溶接の開始方法。
【手続補正２】
【補正対象書類名】明細書
【補正対象項目名】０００９
【補正方法】変更
【補正の内容】
【０００９】
本発明によって提供されるアーク溶接の開始方法は、溶接ワイヤと溶接母材との間にアークを発生させて溶接を行うアーク溶接の開始方法であって、溶接動作の開始時に上記溶接ワイヤと上記溶接母材との間の通電状態が検出されないとき、上記溶接母材に対して上記溶接ワイヤを進退移動させることにより、上記溶接母材に対して上記溶接ワイヤを接触させることを特徴としている。
【手続補正３】
【補正対象書類名】明細書
【補正対象項目名】００３０
【補正方法】変更
【補正の内容】
【００３０】
モータ４１が回転すると、偏芯シャフト４２のボルト４２ａが偏芯回転する。ドライブカム４３は、上記偏芯回転に従って、図４に示すように、（Ｋ１）から（Ｋ４）までの一連の動作を行う。この動作により、マウント４５は、図３に示すように、シャフト４７に沿って上下方向に往復運動する。その結果、溶接トーチ１４は、図２および図３の上下方向における微小な振幅（たとえば１〜２ｍｍ）の往復移動が可能となる。なお、この場合の溶接トーチ１４の往復運動の周波数は、たとえば１０〜２０Ｈｚである。
【手続補正４】
【補正対象書類名】明細書
【補正対象項目名】００６４
【補正方法】変更
【補正の内容】
【００６４】
１    溶接ロボット
１１  ベース部材
１２，１２ａ  アーム
１３  モータ
１４  溶接トーチ
１５  ワイヤ送給装置
１５１  送給モータ
１６  コイルライナ
１７  溶接ワイヤ
２    ロボット制御装置
２１  動作制御回路
３    溶接電源装置
３１  出力制御回路
３２  電圧検出回路
３３  短絡判別回路
３４  送給制御回路
４    往復動発生機構
４１  モータ
４２  偏芯シャフト
４３  ドライブカム（カム機構）
４４ａ，４４ｂ  ベアリング
４５  マウント
４６  ブッシュ
４７  シャフト
Ｆｃ  送給制御信号
Ｉｓ  電気絶縁物
Ｉｗ  溶接電流
Ｍｃ  動作制御信号
Ｓｈ  短絡判別信号
Ｓｐ  溶接開始位置
Ｕｄ  往復動実行信号
Ｖｗ  溶接電圧
Ｗ    溶接母材
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
コロイド状シリカを含むスラリーのろ過方法において、前記コロイド状シリカを含むスラリーに活性白土を添加し、攪拌混合してスラリー内に活性白土を均一に分散させた後に、ろ過することを特徴とするコロイド状シリカを含むスラリーのろ過方法。
【請求項２】
前記活性白土の添加量は、コロイド状シリカを含むスラリー１ｌに対して１０ｇ以上であることを特徴とする請求項１記載のコロイド状シリカを含むスラリーのろ過方法。
【請求項３】
前記攪拌混合の時間は、０．５〜１．５時間であることを特徴とする請求項１または２に記載のコロイド状シリカを含むスラリーのろ過方法。
【手続補正２】
【補正対象書類名】明細書
【補正対象項目名】０００１
【補正方法】変更
【補正の内容】
【０００１】
本発明は、コロイド状シリカを含むスラリーのろ過方法に関し、より詳しくは、コロイド状シリカを含むスラリーの固液分離に際して、有機高分子凝集剤を用いることなく、効率よく固液分離できるコロイド状シリカを含むスラリーのろ過方法に関する。
【手続補正３】
【補正対象書類名】明細書
【補正対象項目名】０００９
【補正方法】変更
【補正の内容】
【０００９】
本発明の目的は、上記従来技術の問題点に鑑み、コロイド状シリカを含むスラリーの固液分離に関して、有機高分子凝集剤を用いることなく、効率よく固液分離できるコロイド状シリカを含むスラリーのろ過方法を提供することにある。
【手続補正４】
【補正対象書類名】明細書
【補正対象項目名】００１０
【補正方法】変更
【補正の内容】
【００１０】
本発明者らは、上記目的を達成するために、鋭意研究を重ねた結果、コロイド状シリカを含むスラリーに活性白土を添加すれば、前記課題を解決できることを見いだして本発明に至った。
すなわち、本発明の第１の発明によれば、コロイド状シリカを含むスラリーのろ過方法において、前記コロイド状シリカを含むスラリーに活性白土を添加して攪拌混合し、スラリー内に活性白土を均一に分散させ、その後にろ過することを特徴とするコロイド状シリカを含むスラリーのろ過方法が提供される。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
ローターとステーターとを備える電気機械装置であって、
前記ローターは、
複数の永久磁石と、
磁性体と、を有し、
前記ステーターは、
複数の電磁コイルと、
磁気センサーと、を有し、
前記複数の永久磁石は、前記ローターの回転軸を中心として、円筒形状に配置されており、
前記複数の電磁コイルの各々は、前記円筒形状の外周側に、前記円筒形状の円筒面に対向する位置に、円筒形状に配置されており、
前記磁気センサーは、前記電磁コイルのコイルエンドと前記回転軸の間であって、前記コイルエンドから前記回転軸に対して直角に降ろした放射線上に配置され  、
前記磁性体は、前記回転軸の軸方向と平行な方向における前記永久磁石の端面であって、前記磁気センサーと前記永久磁石の間に配置されている、電気機械装置。
【請求項２】
請求項１に記載の電気機械装置において、  
前記磁気センサーは、前記永久磁石により生じる磁束の大きさを検知する磁気センサーである、電気機械装置。
【請求項３】
請求項１または請求項２に記載の電気機械装置を備えるロボット。
【手続補正２】
【補正対象書類名】明細書
【補正対象項目名】発明の名称
【補正方法】変更
【補正の内容】
【発明の名称】電気機械装置及びロボット
【手続補正３】
【補正対象書類名】明細書
【補正対象項目名】００２９
【補正方法】変更
【補正の内容】
【００２９】
図８（Ｄ）はローター２０の構成を示す説明図である。ローター２０は、円環状に配置された８つの永久磁石２００を有している。ローター２０の中心は回転軸２３０に固定されている。永久磁石２００の磁化方向は図８（Ａ）の上下方向であり、図８（Ｄ）では紙面に垂直な方向である。永久磁石２００の外周には、磁性体部材２１０が設けられている。
【手続補正書】
【提出日】平成24年7月6日(2012.7.6)
【手続補正１】
【補正対象書類名】明細書
【補正対象項目名】００１１
【補正方法】変更
【補正の内容】
【００１１】
すなわち、本発明は、以下のいずれかの構成を特徴とするものである。
（１）培養反応槽に貯留されている微生物もしくは培養細胞の培養液を連続的に、かつ循環量を変化させながら分離膜へ供給循環し、培養によって生産された化学品を含む濾液を分離膜の透過側で回収するとともに、前記分離膜で濾過されなかった未濾過培養液を前記培養反応槽へ還流して連続培養を行うに際し、培養反応槽内の酸素移動容量係数ｋＬａの設定値からの減少率を該設定値の３０％以内に抑制することを特徴とする連続培養による化学品の製造方法。
（２）前記未濾過培養液を前記培養反応槽へ還流するに際し、前記未濾過培養液は、前記培養反応槽に貯留されている培養液中に直接還流させる、前記（１）に記載の連続培養による化学品の製造方法。
（３）前記設定値が７．０であり、前記化学品としてＬ−乳酸またはＤ−乳酸を回収する、前記（１）または（２）に記載の連続培養による化学品の製造方法。
【手続補正２】
【補正対象書類名】特許請求の範囲
【補正対象項目名】全文
【補正方法】変更
【補正の内容】
【特許請求の範囲】
【請求項１】
培養反応槽に貯留されている微生物もしくは培養細胞の培養液を連続的に、かつ循環量を変化させながら分離膜へ供給循環し、培養によって生産された化学品を含む濾液を分離膜の透過側で回収するとともに、前記分離膜で濾過されなかった未濾過培養液を前記培養反応槽へ還流して連続培養を行うに際し、培養反応槽内の酸素移動容量係数ｋＬａの設定値からの減少率を該設定値の３０％以内に抑制することを特徴とする連続培養による化学品の製造方法。
【請求項２】
前記未濾過培養液を前記培養反応槽へ還流するに際し、前記未濾過培養液は、前記培養反応槽に貯留されている培養液中に直接還流させる、請求項１に記載の連続培養による化学品の製造方法。
【請求項３】
前記設定値が７．０であり、前記化学品としてＬ−乳酸またはＤ−乳酸を回収する、請求項１または２に記載の連続培養による化学品の製造方法。
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過していることを検知して検知信号を出力する検知手段と、前記検知手段から出力された検知信号に基づいて成立する始動条件の成立により各々を識別可能な複数種類の識別情報を変動表示する変動表示装置とを備え、前記識別情報の変動表示の表示結果が予め定められた特定表示結果となったときに、遊技者にとって有利な特定遊技状態に制御する遊技機であって、
所定の初期設定処理を実行した後、制御データに基づき遊技の進行を制御する遊技制御処理を実行する遊技制御手段と、
前記始動領域への前記遊技媒体の進入を可能とする可状態と、前記遊技媒体の進入を不可能とする不可状態との何れかの状態に変化させられる進入規制手段とを備え、
前記遊技制御手段は、
予め定められた所定の条件が成立している特定期間が開始したときに、前記進入規制手段の状態を前記不可状態から前記可状態に変化させるとともに、該特定期間が終了したときに、該進入規制手段の状態を前記可状態から前記不可状態に変化させる可状態制御手段と、
数値データを更新する数値更新手段と、
前記検知手段から前記検知信号が出力されたときに、該検知信号の出力に基づいて前記始動条件が成立したか否かに関わらずに、前記数値更新手段によって更新された数値データを抽出し、数値データ格納領域に格納する数値データ抽出手段と、
前記数値データ格納領域に前記数値データ抽出手段により抽出された数値データが格納された後、該格納されている数値データが読み出されるまでは、前記数値データ抽出手段により新たな数値データの格納を制限して、該格納されている数値データを保持する数値データ保持手段と、
前記始動条件が成立したときに、前記数値データ格納領域に格納されている数値データを読み出す数値データ読出手段と、
前記数値データ読出手段により読み出された数値データを用いて、前記識別情報の変動表示の表示結果により前記特定遊技状態に制御するか否かを、該識別情報の変動表示の表示結果が導出されるよりも前に決定する事前決定手段と、
前記特定期間以外の期間において前記検知手段から前記検知信号が出力されたときに、前記始動条件の成立を禁止する始動成立禁止手段と、
前記特定期間以外の期間における前記検知手段からの前記検知信号の出力により前記数値データ格納領域に格納された数値データを読み出し、前記数値データ保持手段による新たな数値データの格納の制限を解除する特定検知時保持解除手段とを備える
ことを特徴とする遊技機。
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
光干渉断層計により眼底の断層像を撮影する断層像撮像装置の制御方法であって、
設定手段が、眼底における、断層像を撮影すべき計測範囲を設定する設定工程と、
取得手段が、前記光干渉断層計を用いて、前記計測範囲の、診断用の撮影よりも少ない予め定められた複数の位置で断層像を取得する取得工程と、
表示制御手段が、前記取得工程で取得された断層像を、リアルタイムに、表示装置の画面に並べて表示させる表示制御工程とを有することを特徴とする断層像撮像装置の制御方法。
【請求項２】
抽出手段が、前記取得工程で取得した断層像のそれぞれから網膜層を抽出する抽出工程と、
検出手段が、前記断層像のそれぞれについて、前記抽出工程で抽出された網膜層が断層像の深さ方向に関して撮影範囲からはみ出しているかどうかを検出する検出工程とを更に有し、
前記表示制御工程では、前記網膜層がはみ出していることが検出された断層像の表示形態と他の断層像の表示形態とを異ならせることを特徴とする請求項１に記載の断層像撮像装置の制御方法。
【請求項３】
光干渉断層計により眼底の断層像を撮影する断層像撮像装置の制御方法であって、
設定手段が、眼底における、断層像を撮影すべき計測範囲を設定する設定工程と、
取得手段が、前記光干渉断層計を用いて、前記計測範囲の、診断用の撮影よりも少ない予め定められた複数の位置で断層像を取得する取得工程と、
抽出手段が、前記取得工程で取得した断層像の各々から網膜層を抽出する抽出工程と、
調整手段が、前記抽出工程で抽出された網膜層の断層像における深さ方向の位置に基づいて、網膜層が深さ方向に撮影範囲をはみ出さないように前記光干渉断層計の参照ミラーの位置を調整する調整工程とを有することを特徴とする断層像撮像装置の制御方法。
【請求項４】
前記調整工程では、
各断層像について前記抽出された網膜層が深さ方向に撮影範囲をはみ出しているか否かを判断し、
はみ出していると判断された場合に、網膜層の輪郭を外挿することによりそのはみ出しの量を推定し、
推定されたはみ出しの量に基づいて前記参照ミラーの位置を調整することを特徴とする請求項３に記載の断層像撮像装置の制御方法。
【請求項５】
前記取得する断層像の位置は中央と端部であることを特徴とする請求項１乃至４のいずれか１項に記載の断層像撮像装置の制御方法。
【請求項６】
光干渉断層計により眼底の断層像を撮影する断層像撮像装置であって、
眼底における、断層像を撮影すべき計測範囲を設定する設定手段と、
前記光干渉断層計を用いて、前記計測範囲の、診断用の撮影よりも少ない予め定められた複数の位置で断層像を取得する取得手段と、
前記取得手段により取得された断層像を、リアルタイムに、表示装置の画面に並べて表示させる表示制御手段とを備えることを特徴とする断層像撮像装置。
【請求項７】
光干渉断層計により眼底の断層像を撮影する断層像撮像装置であって、
眼底における、断層像を撮影すべき計測範囲を設定する設定手段と、
前記光干渉断層計を用いて、前記計測範囲の、診断用の撮影よりも少ない予め定められた複数の位置で断層像を取得する取得手段と、
前記取得手段により取得された断層像の各々から網膜層を抽出する抽出手段と、
前記抽出手段により抽出された網膜層の断層像における深さ方向の位置に基づいて、網膜層が深さ方向に撮影範囲をはみ出さないように前記光干渉断層計の参照ミラーの位置を調整する調整手段とを備えることを特徴とする断層像撮像装置。
【請求項８】
請求項１乃至５のいずれか１項に記載の断層像撮像装置の制御方法の各工程をコンピュータに実行させるためのコンピュータプログラム。
【請求項９】
請求項８に記載のコンピュータプログラムを記憶したコンピュータによって読み取りが可能な記憶媒体。
【請求項１０】
眼底からの戻り光と参照ミラーからの戻り光を光干渉させて眼底の断層像を撮影する断層像撮像装置であって、
診断用の断層像を撮影する範囲に基づいて前記診断用の断層像の撮影数よりも少ない数の断層像を取得する取得手段と、
前記取得手段により取得された断層像を、表示装置にライブ表示させる表示制御手段と、を備えることを特徴とする断層像撮像装置。
【請求項１１】
眼底からの戻り光と参照ミラーからの戻り光を光干渉させて眼底の断層像を撮影する断層像撮像装置であって、
眼底における、診断用の断層像を撮影する範囲に基づいて前記診断用の断層像の撮影数よりも少ない数の断層像を取得する取得手段と、
前記取得手段により取得された断層像を表示装置に表示させる表示制御手段と、
前記断層像が表示された後に、操作者の指示で前記断層像の撮影位置を変更する手段と、を備えることを特徴とする断層像撮像装置。
【請求項１２】
眼底からの戻り光と参照ミラーからの戻り光を光干渉させて眼底の断層像を撮影する断層像撮像装置であって、
診断用の断層像を撮影する範囲に基づいて前記診断用の断層像の撮影数よりも少ない数の断層像を取得する取得手段と、
前記取得手段により取得された断層像を、表示装置にライブ表示させる表示制御手段と、を備え、
前記断層像が表示された後に、前記診断用の断層像を撮影することを特徴とする断層像撮像装置。
【請求項１３】
眼底からの戻り光と参照ミラーからの戻り光を光干渉させて眼底の断層像を撮影する断層像撮像装置であって、
前記眼底の二次元画像に設定された診断用の断層像を撮影する範囲に基づいて前記診断用の断層像の撮影数よりも少ない数の断層像を取得する取得手段と、
前記取得手段により取得された断層像を、表示装置にライブ表示させる表示制御手段と、を備え、
前記断層像が表示された後に、前記診断用の断層像を撮影することを特徴とする断層像撮像装置。
【請求項１４】
前記撮影位置を変更する手段は、前記参照ミラーの位置を変更することを特徴とする請求項１１に記載の断層像撮像装置。
【請求項１５】
前記取得手段は、前記撮影する範囲の中央部の位置に基づき断層像を取得することを特徴とする請求項１０乃至１４のいずれか１項に記載の断層像撮像装置。
【請求項１６】
低コヒーレンス光源と、
前記光源から発生した低コヒーレンス光を被検眼側と参照ミラー側に分岐する光学部材と、
前記光学部材で分岐された低コヒーレンス光を被検眼の眼底に走査しながら照射する第二の光学部材と、
前記被検眼の眼底からの前記低コヒーレンス光の戻り光と前記参照ミラーからの戻り光を光干渉させて前記被検眼の断層像を取得する再構成部と、
前記低コヒーレンス光を走査する前記眼底の二次元のスキャン範囲から少なくとも一つの断層像を取得する駆動を第二の光学部材にする駆動部と、
前記少なくとも一つの断層像をライブ表示する表示部と、
前記断層像が表示部に表示された後に、前記駆動部が前記二次元のスキャン範囲からの断層像を撮影することを特徴とする断層像撮像装置。
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
静磁場に置かれた被検体に高周波磁場を印加する高周波磁場照射手段と、前記被検体に互いに直交する３軸方向の傾斜磁場を印加する傾斜磁場印加手段と、前記被検体から発生するエコー信号を検出する信号検出手段と、前記高周波磁場発生手段、前記傾斜磁場印加手段および前記信号検出手段の動作を所定のパルスシーケンスに従って制御する制御手段とを備える磁気共鳴イメージング装置であって、
前記パルスシーシーケンスは、
前記エコー信号が配置される計測空間を、当該計測空間の原点を通る計測軌跡を有するブレードであって、前記計測空間の座標軸に対する前記計測軌跡の角度である回転角が互いに異なる複数のブレードに分割して計測する本撮影シーケンスと、
１以上の予め定められた数のブレードの計測毎に、不要な組織を励起するプリパルスを印加するプリパルスシーケンスと、を備え、
前記プリパルスシーケンスは、前記プリパルスの印加による偽エコーを抑制するクラッシャー傾斜磁場パルス、を備え、
前記クラッシャー傾斜磁場パルスの印加量は、当該プリパルスシーケンスに続いて実行される本撮影シーケンスの撮影条件に応じて決定されること
を特徴とする磁気共鳴イメージング装置。
【請求項２】
請求項１記載の磁気共鳴イメージング装置であって、
前記クラッシャー傾斜磁場パルスの前記印加量は、当該プリパルスシーケンスに続いて実行される本撮影シーケンスの前記ブレードの回転角に応じて決定されること
を特徴とする磁気共鳴イメージング装置。
【請求項３】
請求項２記載の磁気共鳴イメージング装置であって、
前記クラッシャー傾斜磁場パルスの前記印加量は、当該プリパルスシーケンスに続いて実行される本撮影シーケンスの前記ブレードの回転角の極性に応じて決定されること、
を特徴とする磁気共鳴イメージング装置。
【請求項４】
請求項２記載の磁気共鳴イメージング装置であって、
前記クラッシャー傾斜磁場パルスの印加量であって、前記ブレード毎に傾斜磁場パルスの印加量が変化する軸に対する印加量は、当該プリパルスシーケンスに続いて実行される本撮影シーケンスの前記ブレードの回転角毎に変化させること
を特徴とする磁気共鳴イメージング装置。
【請求項５】
請求項１から４いずれか１項記載の磁気共鳴イメージング装置であって、
前記クラッシャー傾斜磁場パルスの印加時間は、後続の本撮影シーケンスの前記ブレードの回転角によらず一定であること
を特徴とする磁気共鳴イメージング装置。
【請求項６】
請求項１から３いずれか１項記載の磁気共鳴イメージング装置であって、
前記クラッシャー傾斜磁場パルスの振幅は、後続の本撮影シーケンスの前記ブレードの回転角によらず一定であること
を特徴とする磁気共鳴イメージング装置。
【請求項７】
請求項１から６いずれか１項記載の磁気共鳴イメージング装置であって、
前記プリパルスシーケンスは、複数のプリパルスを備えること
を特徴とする磁気共鳴イメージング装置。
【請求項８】
請求項７記載の磁気共鳴イメージング装置であって、
前記プリパルスシーケンスは、プリパルス毎に前記クラッシャー傾斜磁場パルスを備えること
を特徴とする磁気共鳴イメージング装置。
【手続補正２】
【補正対象書類名】明細書
【補正対象項目名】００１５
【補正方法】変更
【補正の内容】
【００１５】
具体的には、静磁場に置かれた被検体に高周波磁場を印加する高周波磁場照射手段と、前記被検体に互いに直交する３軸方向の傾斜磁場を印加する傾斜磁場印加手段と、前記被検体から発生するエコー信号を検出する信号検出手段と、前記高周波磁場発生手段、前記傾斜磁場印加手段および前記信号検出手段の動作を所定のパルスシーケンスに従って制御する制御手段とを備える磁気共鳴イメージング装置であって、前記パルスシーシーケンスは、前記エコー信号が配置される計測空間を、当該計測空間の原点を通る計測軌跡を有するブレードであって、前記計測空間の座標軸に対する前記計測軌跡の角度である回転角が互いに異なる複数のブレードに分割して計測する本撮影シーケンスと、１以上の予め定められた数のブレードの計測毎に、不要な組織を励起するプリパルスを印加するプリパルスシーケンスと、を備え、前記プリパルスシーケンスは、前記プリパルスの印加による偽エコーを抑制するクラッシャー傾斜磁場パルス、を備え、前記クラッシャー傾斜磁場パルスの印加量は、当該プリパルスシーケンスに続いて実行される本撮影シーケンスの撮影条件に応じて決定されることを特徴とする磁気共鳴イメージング装置を提供する。
【手続補正３】
【補正対象書類名】明細書
【補正対象項目名】００２２
【補正方法】変更
【補正の内容】
【００２２】
送信系５は、被検体１の生体組織を構成する原子の原子核スピンに核磁気共鳴を起こさせるために高周波磁場（ＲＦ）パルスを印加するもので、高周波発振器５２と変調器５３と高周波増幅器５４と送信側の高周波コイル（送信コイル）５１とを備える。高周波発振器５２から出力された高周波パルスは、シーケンサ４からの指令によるタイミングで変調器５３により振幅変調され、高周波増幅器５４で増幅された後、被検体１に近接して配置された送信コイル５１に供給され、被検体１にＲＦパルスとして印加される。
【手続補正４】
【補正対象書類名】明細書
【補正対象項目名】００４６
【補正方法】変更
【補正の内容】
【００４６】
特に、プリサチュレーションパルスは、スライスを選択励起し、励起したスライス内に含まれる磁化を飽和する。プリパルス４０１毎にスライス励起位置を設定することが可能であり、通常、ＭＲＩでは、入力装置７５および表示装置７４といったユーザインタフェース（ＵＩ）を用いて１〜８個程度のプリサチュレーションを行う領域を設定できる。このプリサチュレーションパルスは、例えば、注目視野領域外からのアーチファクトを抑制するために用いられ、抑制したい組織の形状に応じて複数のプリサチュレーションパルスが印加される。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
ａ）  中心軸線を画成している缶本体（２０）と、
ｂ）  飲料用缶端部（１０）であって、該缶端部を前記缶本体に取り付ける継ぎ目（６２）を前記缶本体と関連して形成する周縁部（１２）を有し、上方（６６）および下方（６８）の真っ直ぐな部分によって形成された側壁を有し、前記下方の真っ直ぐな部分が切頭円錐形であり、前記中心軸線に対し角度Ａで配置され、前記上方および下方の真っ直ぐな部分が該上方および下方の真っ直ぐな部分を分離する周方向に延びた折り目（６９）を形成するように鈍角Ｆで交差している缶端部とを含む缶において、前記角度Ａが１２°から１５°までの範囲内であることを特徴とする缶。
【請求項２】
前記鈍角Ｆが１６５°から１７０°までの範囲内であることを特徴とする請求項１に記載の缶。
【請求項３】
前記缶端部が周方向に延びるビードを更に含み、前記缶端部の前記側壁が前記継ぎ目と前記ビードとの間で延びており、前記側壁の前記真っ直ぐな部分が前記継ぎ目と前記折り目との間に延び、前記側壁の前記下方の真っ直ぐな部分が前記折り目と前記ビードとの間に延びていることを特徴とする請求項１に記載の缶。
【手続補正２】
【補正対象書類名】明細書
【補正対象項目名】０００５
【補正方法】変更
【補正の内容】
【０００５】
残念ながら、シーミングの間チャック２に対して押圧されるものの、シーミングロールの圧力が解放されると、缶端部の側壁１４は跳ね返ろうとし、すなわち半径方向外方へ戻ろうとする。このため、従来のシーミングチャック２の上方および下方壁４および６は２個の切頭円錐形の部分を形成するという事実にも拘わらず、結果的に出来た缶の端部１０′の側壁１４′はシーミングの後円弧状であり、図２に示すように比較的大きな曲率半径Ｒ１を有する。シーミングされた側壁１４′が曲がるとシーミングされた缶端部１０′の強度を弱める。
【手続補正３】
【補正対象書類名】明細書
【補正対象項目名】０００６
【補正方法】変更
【補正の内容】
【０００６】
最近、シーミングの後、周方向に延びる折り目において交差する２個の真直部分によって側壁が形成される非標準的な缶端部が開発された。そのような缶端部は国際公開第ＷＯ９６／３７４１４号に示されている。このような構造は４０°から４５°の範囲が好ましいと言われている大きな角度で先ず缶端部の側壁を形成することによって達成される。この国際公開に記載の方法によれば、シーミングチャックも同様に大きな角度で配置された下方壁と＋４°から−４°の範囲の角度で配置された上方壁とを有する。この方法は強化された缶端部を生じるが、残念ながら、この方法において要求される大きな缶端部の側壁角度は、前述のように側壁の角度が単に約１４°であるような標準的な缶端部への適用を阻止する。
【手続補正４】
【補正対象書類名】図面
【補正対象項目名】図３
【補正方法】変更
【補正の内容】
【図３】
2011036920.tif 000001
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
刃具を往復動させて切断加工を行う往復動切断工具において、往復動する出力ロッドに前記刃具を取り付けるための装置であって、
前記出力ロッドの取り付け台座部との間に前記刃具の取り付け基端部をその板厚方向に挟んで該取り付け台座部に固定するホルダを備え、
該ホルダは、前記刃具の取り付け基端部を収容してその幅方向の位置を規制する取り付け溝部を、前記取り付け基端部の形状について複数種類備えており、該取り付け溝部が相互に交差して設けられて、該ホルダの取り付け向きを変更して取り付けることにより前記取り付け基端部の形状について複数種類の刃具を任意に選択して取り付け可能な構成とした刃具取り付け装置。
【請求項２】
請求項１記載の刃具取り付け装置であって、前記ホルダは、前記刃具の取り付け基端部の幅寸法について大幅用の取り付け溝部と小幅用の取り付け溝部を備えており、該両取り付け溝部が相互に直交する方向に沿って設けられて、該ホルダを縦向きと横向きに変更して前記取り付け台座部に取り付け可能な構成とした刃具取り付け装置。
【請求項３】
請求項１又は２記載の刃具取り付け装置であって、前記ホルダが、前記刃具の取り付け基端部に対して刃具抜き方向に係合する係合部を備えた刃具取り付け装置。
【請求項４】
請求項３記載の刃具取り付け装置であって、前記ホルダが前記係合部としての係合ピンを備えており、該係合ピンを前記刃具の取り付け基端部に設けた係合孔に挿入して該刃具の抜け方向の変位を規制する構成とした刃具取り付け装置。
【請求項５】
請求項１〜４の何れか１項に記載した刃具取り付け装置を備えた往復動切断工具。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
可変表示装置の表示状態が特定表示態様となったときに遊技者にとって有利な特定遊技状態に制御可能な遊技機であって、
遊技演出に用いられる複数種類の可動演出装置と、
前記特定遊技状態に制御するか否かを前記表示結果が前記可変表示装置に導出表示される以前に決定する事前決定手段と、
前記複数種類の可動演出装置の動作を制御可能な可動演出装置制御手段と、
遊技の進行を制御する遊技制御手段とを備え、
前記複数種類の可動演出装置は、それぞれの意匠が異なり、
前記可動演出装置制御手段は、前記事前決定手段により前記特定遊技状態に制御することに決定されたときに、前記特定遊技状態に制御することに決定されなかったときよりも高い割合で、前記複数種類の可動演出装置のうち一の可動演出装置を第１の状態から前記第１の状態とは異なる第２の状態に遷移させる予告動作制御手段を含み、
前記遊技制御手段は、所定の処理を繰り返し実行するメインルーチンと、前記メインルーチン実行中の所定時間毎に発生するタイマ割込に応じて前記メインルーチンを中断して起動される割込ルーチンとを実行する実行手段を含み、
前記実行手段は、
前記特定遊技状態とするか否かを決めるための特定遊技状態決定用数値を所定の範囲内で更新する特定遊技状態決定用数値更新処理を前記割込ルーチンにおいて実行し、
前記特定遊技状態決定用数値の初期値を決定するための初期値用数値を更新する初期値用数値更新処理を前記メインルーチンにおいて実行し、
前記メインルーチンにおける前記初期値用数値更新処理を開始する前に前記タイマ割込による割込を禁止し、前記初期値用数値更新処理の完了後に前記タイマ割込による割込を許可する
ことを特徴とする遊技機。
【手続補正２】
【補正対象書類名】明細書
【補正対象項目名】０００９
【補正方法】変更
【補正の内容】
【０００９】
本発明による遊技機は、可変表示装置（例えば、可変表示装置９）の表示状態が特定表示態様となったときに遊技者にとって有利な特定遊技状態に制御可能な遊技機であって、遊技演出に用いられる複数種類の可動演出装置（例えば、遊技演出装置２５Ａ，２５Ｂ，２９，３０，３３Ａ，３３Ｂ）と、特定遊技状態に制御するか否かを表示結果が可変表示装置に導出表示される以前に決定する事前決定手段と、複数種類の可動演出装置の動作を制御可能な可動演出装置制御手段と、遊技の進行を制御する遊技制御手段とを備え、複数種類の可動演出装置は、それぞれの意匠（形状、模様、色彩などを含む概念である。）が異なり、可動演出装置制御手段は、事前決定手段により特定遊技状態に制御することに決定されたときに、特定遊技状態に制御することに決定されなかったときよりも高い割合で、複数種類の可動演出装置のうち一の可動演出装置を第１の状態から第１の状態とは異なる第２の状態に遷移させる予告動作制御手段を含み、遊技制御手段は、所定の処理を繰り返し実行するメインルーチンと、メインルーチン実行中の所定時間毎に発生するタイマ割込に応じてメインルーチンを中断して起動される割込ルーチンとを実行する実行手段を含み、実行手段は、特定遊技状態とするか否かを決めるための特定遊技状態決定用数値を所定の範囲内で更新する特定遊技状態決定用数値更新処理を割込ルーチンにおいて実行し、特定遊技状態決定用数値の初期値を決定するための初期値用数値を更新する初期値用数値更新処理をメインルーチンにおいて実行し、メインルーチンにおける初期値用数値更新処理を開始する前にタイマ割込による割込を禁止し、初期値用数値更新処理の完了後にタイマ割込による割込を許可することを特徴とする。